(57)【要約】      （修正有）【課題】抵抗膜型タッチパッドを使用した、コンピュータ装置用のキーボード装置を提供する。【解決手段】入力装置は、誘電体基板１１の上方に配置された柔軟な誘電体検印板１２から構成される。導電ユニットは、基板１１の上面１１２に形成され且つ互いに離された第１導電膜パターン１５１、検印板１２の底面１２１に形成され且つ第１導電膜パターン１５１に各々対応する第２導電膜パターン１５２を含む。スペーサー１３は、第１導電膜パターン１５１を、対応する第２導電膜パターン１５２から離すために基板１１と検印板１２の間に置かれる。少なくとも１つの第１導電膜パターン１５１が対応する第２導電膜パターン１５２に電気的に接触するように検印板１２を押すことは、導電ユニットにより入力信号を出力する結果となる。基板１１と検印板１２の１つは、検印板１２の上から見ることができる所定パターン１４によって形成される。【選択図】図３
2009140482.tif 000002
【特許請求の範囲】
【請求項１】
接触制御入力装置であって：
―  上面及び底面を有する誘電体基板；
―  前記誘電体基板の前記上面に配置され、且つ上面及び底面を有する柔軟な誘電体検印板；
―  導電ユニットで、
前記誘電体基板の前記上面に形成され且つ互いに離された複数の第１導電膜パターン、及び
前記誘電体検印板の前記底面に形成され且つ第１導電膜パターンに各々対応する複数の第２導電膜パターン
を含む導電ユニット；及び
―  前記誘電体基板上の各前記第１導電膜パターンを前記誘電体検印板上の前記第２導電膜パターンの対応する１つから離すために前記誘電体基板と前記誘電体検印板との間に配置されたスペーサーを含み；
前記第１導電膜パターンの少なくとも１つが、前記第２導電膜パターンの対応する１に電気的に接触するように前記誘電体検印板を押すことが、前記導電ユニットによって入力信号を出力する結果となり；且つ
前記誘電体基板及び前記誘電体検印板のうちの１つが、前記誘電体検印板の上から見ることができる所定パターンで形成される事を特徴とする接触制御入力装置。
【請求項２】
前記導電ユニットが更に：
前記誘電体基板の前記上面に形成され且つ前記第１導電膜パターンに各々電気的に接続された複数の第１導線；及び
前記誘電体検印板の前記底面に形成され且つ前記第２導電膜パターンに各々電気的に接続された複数の第２導線
を含む事を特徴とする請求項１に請求された接触制御入力装置。
【請求項３】
前記誘電体検印板の前記上面及び前記誘電体基板の前記底面の内の１が前記所定パターンで形成される事を特徴とする請求項１に請求された接触制御入力装置。
【請求項４】
前記所定パターンが、印刷によって前記誘電体検印板の前記上面及び前記誘電体基板の前記底面の内の１に形成される事を更に特徴とする請求項３に請求された接触制御入力装置。
【請求項５】
前記所定パターンが、彫り(engraving)によって前記誘電体検印板の前記上面及び前記誘電体基板の前記底面の内の１に形成される事を更に特徴とする請求項３に請求された接触制御入力装置。
【請求項６】
前記誘電体基板、前記誘電体検印板、及び前記導電ユニットの前記第１及び第２導電膜パターンが透明である事を更に特徴とする請求項３に請求された接触制御入力装置。
【請求項７】
前記誘電体基板に向かって光を放射するために前記誘電体基板の下に置かれる照明ユニットにより更に特徴付けられた、請求項６に請求された接触制御入力装置。
【請求項８】
前記照明ユニットは、面線源放射冷光を含む事を更に特徴とする請求項７に請求された接触制御入力装置。
【請求項９】
前記照明ユニットは、前記誘電体基板の前記底面上に実装された光案内板と、光案内板に向かって光を放射するための光源を含み、前記光源から放射される光は前記光案内板によって前記誘電体基板に向かって案内される事を更に特徴とする請求項７に請求された接触制御入力装置。
【請求項１０】
前記照明ユニットの上に置かれ且つ前記誘電体検印板の上面と同一平面内の上面を有するタッチパッドにより更に特徴付けられた請求項７に請求された接触制御入力装置。
【請求項１１】
前記所定パターンが、前記誘電体検印板上の前記第２導電膜パターンの各々に対応する複数の文字パターン部を含む前記キーボードパターンの型(form)の中にある事を特徴とする請求項１に請求された接触制御入力装置。
【請求項１２】
以下の構成要素を含む事を特徴とするコンピュータ装置一式：
―  以下の構成要素を含む接触制御入力装置；
――  上面及び底面を有する誘電体基板、
――  前記基板の前記上面に配置され、且つ上面及び底面を有する柔軟な誘電体検印板、
――  導電ユニットであって、
前記誘電体基板の前記上面に形成され且つ互いに離された複数の第１導電膜パターン、及び
前記誘電体検印板の前記底面に形成され且つ前記第１導電膜パターンに各々対応する複数の第２導電膜パターン
を含む導電ユニット、及び
――  前記誘電体基板上の各前記第１導電膜パターンを前記誘電体検印板上の前記第２導電膜パターンの対応する１つから離すために前記誘電体基板と前記誘電体検印板との間に配置されたスペーサーを含む接触制御入力装置で、
前記第１導電膜パターンの少なくとも１つが前記第２導電膜パターンの対応する１に電気的に接触するように前記誘電体検印板を押すことが、前記導電ユニットによって入力信号を出力する結果となり、且つ
前記誘電体基板及び前記誘電体検印板のうちの１つが、前記誘電体検印板の上から見ることができる所定パターンで形成された接触制御入力装置；
―  表示ユニット；及び
―  前記表示ユニット及び前記接触制御入力装置の導電ユニットに結合し、前記接触制御入力装置の前記導電ユニットから入力信号を受け取り、その装置により受け取られ且つ前記表示ユニット上に表示された入力信号に対応する出力を作り出す処理ユニット。
【発明の詳細な説明】
【技術分野】
【０００１】
本発明は、入力装置に関し、特に接触制御入力装置に関する。
【背景技術】
【０００２】
図１は、導電膜で覆われたガラス基板１１０と、ガラス基板１１０上に配置され且つスペーサー（図示せず）によって導電膜から離された導電膜１２０を含む従来型抵抗性タッチパッド１００を示す。２つの第１導線１４０は、導電膜１２０の対向する側に形成され、Ｘ方向に互いに向かい合う。２つの第１導線１３０は、ガラス基板１１０の対向する側に形成され、Ｙ方向に互いに向かい合う。従来型抵抗性タッチパッド１００は、導電膜１２０がガラス基板１１０上の導電性膜に接触できるようにするために、タッチペン又はユーザーの一本の指を導電膜１２０に接触することにより入力信号を生成するように操作する事ができる。入力信号は、従来型抵抗性タッチパッド１００上の接触点に位置するオブジェクト(object)の活動に対応し、入力信号に対応するＸ軸信号とＹ軸信号を生成するように処理される。
【発明の開示】
【発明が解決しようとする課題】
【０００３】
しかし、従来型抵抗性タッチパッド１００は、コンピュータ装置一式用のキーボードとして作動できない。加えて、従来型抵抗性タッチパッド１００は、多くの接触点を同時に押すことに対応する入力操作を実行するようには構成されていない。
【課題を解決するための手段】
【０００４】
そこで、本発明の目的は、前述の先行技術の欠点を克服できる接触制御入力装置および同様の装置を含むコンピュータ装置一式を提供することである。
【０００５】
本発明の１実施例によれば、接触制御入力装置は：
―  上面及び底面を有する誘電体基板；
―  誘電体基板の上面に配置され、且つ上面及び底面を有する柔軟な誘電体検印板；
―  導電ユニットで、
誘電体基板の上面に形成され且つ互いに離された複数の第１導電膜パターン、及び
誘電体検印板の底面に形成され且つ第１導電膜パターンに各々対応する複数の第２導電膜パターン
を含む導電ユニット；及び
―  誘電体基板上の各第１導電膜パターンを誘電体検印板上の第２導電膜パターンの対応する１つから離すために誘電体基板と誘電体検印板との間に配置されたスペーサーを含む。
【０００６】
誘電体検印板を押すことによって第１導電膜パターンの少なくとも１つが、対応する１の第２導電膜パターンに電気的に接触し導電ユニットによって入力信号を出力する結果となる。
【０００７】
誘電体基板及び誘電体検印板のうちの１つが、誘電体検印板の上から見ることができる所定パターンで形成される。
【０００８】
本発明のもう１実施例によれば、コンピュータ装置一式は以下の構成要素を含む：
―  接触制御入力装置であって、
――  上面及び底面を有する誘電体基板、
――  基板の上面に配置され、且つ上面及び底面を有する柔軟な誘電体検印板、
――  導電ユニットであって、
誘電体基板の上面に形成され且つ互いに離された複数の第１導電膜パターン、及び
誘電体検印板の底面に形成され且つ第１導電膜パターンに各々対応する複数の第２導電膜パターン
を含む導電ユニット、及び
――  誘電体基板上の各第１導電膜パターンを誘電体検印板上の第２導電膜パターンの対応する１つから離すために誘電体基板と誘電体検印板との間に配置されたスペーサーを含み、
誘電体検印板を押すことによって第１導電膜パターンの少なくとも１つが、対応する１の第２導電膜パターンに電気的に接触し導電ユニットによって入力信号を出力する結果となり、且つ
誘電体基板及び誘電体検印板のうちの１つが、誘電体検印板の上から見ることができる所定パターンで形成された接触制御入力装置；
―  表示ユニット；及び
―  表示ユニット及び接触制御入力装置の導電ユニットに結合し、接触制御入力装置の導電ユニットから入力信号を受け取り、その装置により受け取られ且つ表示ユニット上に表示された入力信号に対応する出力を作り出す処理ユニット
を含むコンピュータ装置一式。
【０００９】
本発明の他の特徴及び長所は、添付図面を参照するとともに以下の好ましい実施例の詳しい記述により説明される。
【００１０】
本発明を詳細に説明する前に、本明細書を通し類似要素は同じ参照番号示される事に注意する。
【発明の効果】
【００１１】
本発明の実施例は、多くの接触点を同時に押すことに対応する入力操作を実行する効果がある。
【発明を実施するための最良の形態】
【００１２】
図２と図４を参照して、本発明による接触制御入力装置１０の第１の好ましい実施例は、入力モジュール１及び照明ユニット２を含んで示される。この実施例において、接触制御入力装置１０は、コンピュータ装置一式のためのキーボードとして働く。
【００１３】
更に図３を参照して、入力モジュール１は、誘電体基板１１、誘電体検印板１２、導電ユニット及びスペーサー１３を含む。
【００１４】
誘電体基板１１は、上面１１２と底面１１１有する。この実施例において、誘電体基板１１は、透明で、ガラスからできている。
【００１５】
この実施例における透明な検印板１２は、誘電体基板１１の上面１１２に配置され、且つ上面及び下面１２２，１２１を有する。この実施例において、検印板１２は、ポリエチレンテレフタレート(PET)又は、アクリル樹脂でできている。
【００１６】
図３に示すように、導電ユニットは、基板１１の上面１１２に形成され且つ互いに離された複数の第１導電膜パターン１５１、検印板１２の底面１２１に形成され且つ第１導電膜パターン１５１に各々対応する複数の第２導電膜パターン１５２、基板１１の上面１１２に形成され且つ第１導電膜パターン１５１に各々電気的に接続された複数の第１導線１５３、及び検印板１２の底面１２１に形成され且つ第２導電膜パターン１５２に各々電気的に接続された複数の第２導線１５４を含む。この実施例において、第１導電膜パターン１５１、第２導電膜パターン１５２、第１導線１５３、及び第２導線１５４は、透明であり且つインジウムスズ酸化物(ITO)でできている。
【００１７】
図３に示すように、スペーサー１３は、基板１１上の各第１導電膜パターン１５１を検印板１２の対応する１の第２導電膜パターン１５２から離すために基板１１と検印板１２の間に置かれる。
【００１８】
この実施例において、検印板１２の上面１２２は、印刷又はエッチングにより所定パターン１４で形成される。他の実施例において、所定パターン１４は、基板１１の底面１１１上に形成可能であり、基板１１、検印板１２及び導電ユニット導電膜パターン１５１、１５２の透明性により検印板１２上方より見ることができる。図５に示すように、更に、所定パターン１４は、検印板１２上の第２導電膜パターン１５２に各々対応する複数の文字パターン部１４１を含むキーボードパターンの型中に存在する。
【００１９】
照明ユニット２は、基板１１に向かって光を放射するために基板１１の下に置かれる。この実施例において、図４に示すように、照明ユニット２は、バックライト(backlight)のモジュールとして働き、且つ基板１１の底面１１１上に実装された光案内板２１と、光案内板２１に向かって光を放射するための光源２２を含む。光源２２から放射される光は、光案内板２１によって基板１１に向かって案内される。他の実施例において、照明ユニット２は、面線源放射冷光であり得る。
【００２０】
検印板１２を押すことにより第１導電膜パターン１５１の少なくとも１つは、第２導電膜パターン１５２の対応する１つに電気的に接触し（図６参照）、導電ユニットにより入力信号を出力する結果となる。例えば、数字の「３」を示す所定パターン１４の文字パターン部１４１の１に対応する検印板１２上の１接触点が押されるとき、数字の「３」に対応する入力信号は、導電ユニットによって出力される。他の例において、所定パターン１４の３文字パターン部１４１に対応する検印板１２上の３つの接触点が同時に押されるとき、３文字パターン部１４１の組み合わせに対応する入力信号は、導電ユニットによって出力される。
【００２１】
図７は、第１の好ましい実施例の修正である本発明による接触制御入力装置１０’の第２の好ましい実施例を示す。前の実施例とは類似せず、接触制御入力装置１０’は、更に照明ユニット２の上に置かれたタッチパッド３を含み、検印板１２の上面１２２と同一平面内の上面３１を有する。この実施例において、タッチパッド３は、抵抗タッチパッド又は容量性タッチパッドで有りうる。
【００２２】
図８は、第２の好ましい実施例の接触制御入力装置１０’、表示ユニット２０、表示ユニット２０及び接触制御入力装置１０’に結合した処理ユニット３０を含む。処理ユニット３０は、接触制御入力装置１０’ の導電ユニットから入力信号を受け取り、受け取った入力信号に対応する出力を生成し、表示ユニット２０上に表示する。
【００２３】
本発明は、最も実践的で好ましいと思われる事に関連して記述されているが、本発明は、記述された実施例には限られず、全てのそのような修正及び均等の実施例を包含するために最も広い解釈での精神及び範囲内に含まれた種々の実施例をカバーする事が企図されている。
【産業上の利用可能性】
【００２４】
本発明は、例えば、接触制御入力装置に利用できる。
【図面の簡単な説明】
【００２５】
【図１】従来のタッチパッドを示す分解斜視図である。
【図２】本発明による接触制御入力装置の第１の好ましい実施例を示す部分分解斜視図である。
【図３】第１の好ましい実施例の入力モジュールを示す部分分解部分斜視図である。
【図４】第１の好ましい実施例を示す略側面図である。
【図５】非操作状態での第１の好ましい実施例の入力モジュールを示す部分略側面図である。
【図６】操作状態での第１の好ましい実施例の入力モジュールを示す部分略側面図である。
【図７】好ましい実施例による接触制御入力装置の第２の好ましい実施例を示す略側面図である。
【図８】第２の好ましい実施例の接触制御入力装置を含むコンピュータ装置一式の斜視図である。
【符号の説明】
【００２６】
入力モジュール１
照明ユニット２
タッチパッド３
接触制御入力装置１０、１０’
誘電体基板１１
誘電体検印板１２
スペーサー１３
所定パターン１４
表示ユニット２０
光案内板２１
光源２２
処理ユニット３０
従来型抵抗性タッチパッド１００
ガラス基板１１０
底面１１１
上面１１２  
導電膜１２０
底面１２１
上面１２２
導線１３０
導線１４０
文字パターン部１４１
第１導電膜パターン１５１
第２導電膜パターン１５２
第１導線１５３
第２導線１５４
【図１】
2009140482.tif 000003
【図２】
2009140482.tif 000004
【図３】
2009140482.tif 000005
【図４】
2009140482.tif 000006
【図５】
2009140482.tif 000007
【図６】
2009140482.tif 000008
【図７】
2009140482.tif 000009
【図８】
2009140482.tif 000010
【外国語明細書】
2009140482.tif 000011
2009140482.tif 000012
2009140482.tif 000013
2009140482.tif 000014
2009140482.tif 000015
2009140482.tif 000016
2009140482.tif 000017
2009140482.tif 000018
2009140482.tif 000019
2009140482.tif 000020
2009140482.tif 000021
【図１】
2009140482.tif 000022
【図２】
2009140482.tif 000023
【図３】
2009140482.tif 000024
【図４】
2009140482.tif 000025
【図５】
2009140482.tif 000026
【図６】
2009140482.tif 000027
【図７】
2009140482.tif 000028
【図８】
2009140482.tif 000029